(57)【要約】【課題】ペット用食器などの容器を支持するに際して、支持高さの変更が極めて容易に行え、また容器を不動の状態に支持できるようにして極めて高い安定性が得られるようにし、更には簡潔構造を実現して軽量化や低廉化が図れるようにする。【解決手段】表裏両面を容器の支持面とする支持板２と、この支持板２の一方面で突設された複数の標準脚３と、支持板２の他方面で標準脚３よりも突出高さを大きくして突設された複数の高脚４とを有し、標準脚３及び高脚４は、支持板２によって支持する容器Ｗ１，Ｗ２を取り囲んで当該容器Ｗ１，Ｗ２を位置決めする配置で設けられている。【選択図】図１
2015123006.tif 000002
【特許請求の範囲】
【請求項１】
表裏両面を容器の支持面とする支持板と、この支持板の一方面で突設された複数の標準脚と、前記支持板の他方面で前記標準脚よりも突出高さを大きくして突設された複数の高脚とを有し、
前記標準脚及び前記高脚は、前記支持板によって支持する容器を取り囲んで当該容器を位置決めする配置で設けられていることを特徴とする容器台。
【請求項２】
前記標準脚及び前記高脚はいずれも容器まわりの３箇所以上に設けられていることを特徴とする請求項１記載の容器台。
【請求項３】
前記支持板には前記標準脚が設けられる面及び前記高脚が設けられる面の双方に対して位置決め突起が着脱自在に設けられており、この位置決め突起は、前記標準脚又は前記高脚により位置決めされる容器よりも平面大きさの小さな小形容器を前記標準脚又は前記高脚と共同しつつ位置決めする配置で設けられていることを特徴とする請求項１又は請求項２記載の容器台。
【請求項４】
前記位置決め突起は、前記支持板の前記標準脚が設けられる面又は前記高脚が設けられる面に対して選択的に着脱される唯一の存在とされていることを特徴とする請求項３記載の容器台。
【発明の詳細な説明】
【技術分野】
【０００１】
本発明は、ペット用食器などの容器を支持する際に好適に使用できる容器台に関する。
【背景技術】
【０００２】
犬や猫などのペットに餌を与えるときに使用するペット用の食器は、安定性を考慮して底面を広くし、高さを低くした構造（皿状のもの）としてあることが多い。しかしながら、ペットの種類や体格によっては食器の高さが不足することがある。この場合、食器が低すぎることを嫌うペットが食器を乱暴に扱うようになり、その結果、食器が移動したり転倒したりするといった不具合を招来することがある。
【０００３】
そこで、食器を支持するテーブル板の高さ調節を可能にした給餌台が提案されている（特許文献１等参照）。この給餌台は自立状態を保持する板（起立板）を有するものとしてあり、この起立板に対して、テーブル板の後端を差し込むためのスリットを上下複数設けてある。これら複数のスリットから、最適な高さのものを選んで使用することでテーブル板の高さを変えるものである。
【０００４】
なお、起立板のスリットにテーブル板の後端部を差し込んだ後は、スリットを通り抜けて起立板の裏側へ突き出すようになるテーブル板の後端部に楔を打ち込み、抜け止め作用が得られるようにする構造であった。
【先行技術文献】
【特許文献】
【０００５】
【特許文献１】特開２００８−１７８３３７号公報
【発明の概要】
【発明が解決しようとする課題】
【０００６】
従来公知の給餌台では、互いに分離した存在となる起立板、テーブル板、楔の三部材を要することから、分解状態での取り扱いは面倒であると共に重荷になり、収納時には部材の紛失に繋がるおそれもあった。また、起立板には複数のスリットを加工しなければならず、加えてテーブル板の後端部とスリットとの嵌め合い寸法関係や、テーブル板後端部への楔打ち込み構造の寸法精度などが要求されるため、構造が複雑で、高コスト化する問題もあった。
【０００７】
しかも、テーブル板の高さ変更を行うには、楔の引き抜きや打ち込みがその都度、必要になるため、非常に手間と要領を必要とする問題もあった。
のみならず、テーブル板はフラットな上面を有するものであったので、テーブル板上へ食器を置いただけでは位置固定ができず、ペットの食事中に食器がテーブル板から落下するという問題もあった。
【０００８】
本発明は、上記事情に鑑みてなされたものであって、ペット用食器などの容器を支持するに際して、支持高さの変更が極めて容易に行え、また容器を不動の状態に支持できるようにして極めて高い安定性が得られるようにし、更には簡潔構造を実現して軽量化や低廉化が図れるようにする容器台を提供することを目的とする。
【課題を解決するための手段】
【０００９】
前記目的を達成するために、本発明は次の手段を講じた。
即ち、本発明に係る容器台は、表裏両面を容器の支持面とする支持板と、この支持板の一方面で突設された複数の標準脚と、前記支持板の他方面で前記標準脚よりも突出高さを大きくして突設された複数の高脚とを有し、前記標準脚及び前記高脚は、前記支持板によって支持する容器を取り囲んで当該容器を位置決めする配置で設けられていることを特徴とする。
【００１０】
前記標準脚及び前記高脚は、いずれも容器まわりの３箇所以上に設けられたものとするのが好適である。
前記支持板には前記標準脚が設けられる面及び前記高脚が設けられる面の双方に対して位置決め突起が着脱自在に設けられており、この位置決め突起は、前記標準脚又は前記高脚により位置決めされる容器よりも平面大きさの小さな小形容器を前記標準脚又は前記高
脚と共同しつつ位置決めする配置で設けられたものとするのが好適である。
【００１１】
この場合、前記位置決め突起は、前記支持板の前記標準脚が設けられる面又は前記高脚が設けられる面に対して選択的に着脱される唯一の存在とするとよい。
【発明の効果】
【００１２】
本発明に係る容器台は、ペット用食器などの容器を支持するに際して、支持高さの変更が極めて容易に行え、また容器を不動の状態に支持できるようにして極めて高い安定性が得られ、更には簡潔構造の実現により軽量化や低廉化が図れている。
【図面の簡単な説明】
【００１３】
【図１】本発明に係る容器台を示した斜視図である。
【図２】本発明に係る容器台により容器（大形容器）を高い位置に支持させる状況を示しており（Ａ）は平面図であり（Ｂ）は正面図である。
【図３】本発明に係る容器台により容器（小形容器）を高い位置に支持させる状況を示しており（Ａ）は平面図であり（Ｂ）は正面図である。
【図４】位置決め突起を示した正面図である。
【図５】本発明に係る容器台により容器を標準高さに支持させる状況を示した正面図である。
【発明を実施するための形態】
【００１４】
以下、本発明の実施の形態を、図面に基づき説明する。
図１乃至図５は本発明に係る容器台１を示している。この容器台１は、ペット用食器などの容器（Ｗ１，Ｗ２）を、標準とする高さで支持したり、或いはこの標準高さよりも高い位置で支持したりできるものであり、しかもこの高さの変更が極めて単純な取り扱いによって、いとも簡単に行えるようにしたものである。また、支持できる容器についても、図２（Ａ）に示すようにサイズの大きな容器（平面大きさの大きな容器であって、以下「大形容器Ｗ１」と言う）や、図３（Ａ）に示すようにサイズの小さな容器（以下「小形容器Ｗ２」と言う）に適用できるようにしてある。
【００１５】
この容器台１は、表裏両面を容器の支持面とする支持板２と、この支持板２の一方面で突設された複数の標準脚３と、支持板２の他方面で突設された複数の高脚４とを有している。支持板２は、原則として、大形容器Ｗ１を支持できる大きさ（好ましくは、平面視して大形容器Ｗ１の投影面を略吸収できる平面大きさ）で形成されており、このような支持板２に対し、標準脚３及び高脚４は、支持板２によって支持する大形容器Ｗ１を取り囲むような配置で設けられている。
【００１６】
従って、支持板２に対し、標準脚３が設けられた面に大形容器Ｗ１を置くと、大形容器Ｗ１の外周部に対して四隅の標準脚３が当接又はごく近接するようになり、これによって大形容器Ｗ１が位置決めされるようになる。ここにおいて「位置決め」とは、大形容器Ｗ１が支持板２上に留まって脱落することがない状態を言うものであって、大形容器Ｗ１が多少、水平方向に移動することは許容するものとおく。従って、大形容器Ｗ１の外周部に対して四隅の標準脚３を近接配置させる場合も、大形容器Ｗ１と標準脚３との間に、ある程度の隙間を生じさせることは可能である。むしろ、このような隙間は、支持板２に対して大形容器Ｗ１を置いたり取り出したりするのを容易化させることに繋がるので、好適な場合がある。
【００１７】
支持板２に対し、高脚４が設けられた面に大形容器Ｗ１を置いた場合も、標準脚３が設けられた面に大形容器Ｗ１を置いた場合と略同様な位置決め作用が得られる。
本実施形態において、支持板２は、大形容器Ｗ１の直径と同等寸法（１２５ｍｍ、１４０ｍｍ、１６０ｍｍ等）を一辺長さとする正方形板状に形成され、且つ四隅がアール面取されたものとしてある。また、標準脚３及び高脚４は同径の丸棒状に形成されたものとしてあり、いずれも支持板２の四隅部に配置されるように、それぞれ４本が使用されるものとしてある。標準脚３と高脚４とは、支持板２を挟んで一軸配置としてある。
【００１８】
なお、これら支持板２、標準脚３、高脚４の形成素材は樹脂、木材、金属などとすればよく、特に限定されるものではない。また標準脚３や高脚４は、中空構造としても中実構造としてもよい。
標準脚３は、給餌の対象とするペット（犬、猫、鳥、小動物、観賞魚など）の平均的な体格に合わせた高さで、支持板２により支持する各容器Ｗ１，Ｗ２を持ち上げできるように、その長さが設定されている。例えば、設置床面から支持板２の上面までの高さとして、３８ｍｍ、５２ｍｍ、６０ｍｍのいずれか、又は別寸法を選択するとよい。
【００１９】
高脚４は、標準脚３よりも長く（支持板２からの突出高さを大きく）したものである。例えば、設置床面から支持板２の上面までの高さとして、５６ｍｍ（標準脚３が３８ｍｍの場合）、９２ｍｍ（標準脚３が５２ｍｍの場合）、１１０ｍｍ（標準脚３が６０ｍｍの場合）のいずれか、又は別寸法を選択するとよい。
本実施形態では標準脚３及び高脚４をそれぞれ４本としているが、いずれも、少なくとも３本あれば支持板２の安定した持ち上げ、及び大形容器Ｗ１の確実な位置決めができるものとなる。なお、４本を超えて設けることは任意である。また、これら標準脚３や高脚４は、丸棒状とする以外にも角棒状や帯板状、Ｌ型やコ字型の棒状材などとすることが可能である。そもそも、棒状とすることにも限定されず、板状や適宜立体形などに形成することも可能である。当然に、標準脚３や高脚４を板状や適宜立体形などとする場合であれば、その形成数や配置についても、支持板２を安定的に持ち上げできることを条件として、適宜設定すればよいことになる。
【００２０】
標準脚３や高脚４は、支持板２に固定するのが好適である。本実施形態では、支持板２に対しその板厚を貫通して両面側で突出するダボピン７を圧入しておくと共に、標準脚３や高脚４にはダボピン７を差し込む小孔を形成しておき、支持板２から突出するダボピン７へ標準脚３や高脚４を圧入する構造を採用している。固定の確実性を得るために、接着剤を併用するのが好適である。
【００２１】
一方、支持板２には、位置決め突起１０が着脱自在に設けられている。この位置決め突起１０は、支持板２の表裏いずれの面に対しても着脱が自在に行えるものとしてある。
この位置決め突起１０は、例えば、支持板２において標準脚３が設けられる面に小形容器Ｗ２を置き、尚かつ、２本の標準脚３に小形容器Ｗ２の外周部を当接又はごく近接させた場合に、これら２本の標準脚３から小形容器Ｗ２が離れないように当て止めする作用を奏する。すなわち、支持板２上の小形容器Ｗ２は、２本の標準脚３と位置決め突起１０との共同作用で位置決めされる。
【００２２】
当然に、支持板２において高脚４が設けられる面に小形容器Ｗ２を置き、尚かつ、２本の高脚４に小形容器Ｗ２の外周部を当接又はごく近接させた場合にも、標準脚３が設けられた面に小形容器Ｗ２を置いた場合と略同様な位置決め作用が得られる。
本実施形態では、支持板２に対し、２本の標準脚３の中間位置（２本の高脚４の中間位置に同じ）に対し、その板厚を貫通して小孔１１を設けておき、位置決め突起１０には、小孔１１に挿入可能なダボピン１２を設けておくものとして、これら小孔１１とダボピン１２との抜き差しにより必要に応じて支持板２に位置決め突起１０を着脱できる構造を採用している。
【００２３】
このような位置決め突起１０は、支持板２の標準脚３が設けられる面又は高脚４が設けられる面に対し、選択的に着脱される唯一の存在とするとよい。すなわち、位置決め突起１０は、支持板２の表裏両面に使い分けるようにして１本だけ付属させておけばよい。ただ、複数本を付属させることを除外するものではない。
なお、標準脚３のうちの１本を位置決め突起１０として兼用させる構造を採用することが可能である。例えば、支持板２に対して２本以上（好ましくは３本以上）の標準脚３を固定状態で設けるようにし、兼用させる標準脚３（＝位置決め突起１０）については、ダボピン１２を支持板２に設ける小孔１１と無理嵌めの関係にして着脱に備えさせる。これら兼用にさせる標準脚３とそれ以外の標準脚３とを色違い等にして、容易に見分けがつくものとしておけばよい。
【００２４】
以上詳説したところから明らかなように、本発明に係る容器台１では、高脚４を設置床側（下方）へ向けて使用することで、支持板２上へ置く容器（Ｗ１，Ｗ２）を標準高さよりも高い位置で不動の状態に支持できるものであり、一方で、標準脚３を設置床側（下方）へ向けて使用することで、支持板２上へ置く容器（Ｗ１，Ｗ２）を標準高さで不動の状
態に支持できるものとなる。このように、容器の支持高さを極めて単純な取り扱いにより、いとも簡単に変更できるものとなる。
【００２５】
また、支持した容器は、標準脚３や高脚４によって位置決めされるものであり、支持板２上から落下するようなことはなく、極めて高い安定性が得られる利点がある。加えて、これらの作用が極めて簡潔な構造によって実現されているので、軽量化や低廉化が図れるものとなっている。のみならず、位置決め突起１０の着脱により、支持できる容器を大形容器Ｗ１と小形容器Ｗ２とに簡単に切り換えできる利点もある。
【００２６】
このようなことから、容器をペット用食器とする場合などであれば、容器の支持高さをペットの種類や体格に簡単に合わせられるものとなり、好適に使用できるものとなる。
標準脚３や高脚を棒状として複数本設ける構造にした場合、容器（Ｗ１，Ｗ２）はその外周部が標準脚３や高脚４によって区画された状態となる。そのため、ペットは、これら標準脚３の相互間、又は高脚４の相互間へ頭を突っ込んで容器内の餌を食べるようになる。このことが、ペットの給餌位置を意図的に制限できる（躾ける）ことに繋がり、周辺を汚さないなどの利点となる場合がある。このことから、支持板２に対する標準脚３の突出高さは、容器（Ｗ１，Ｗ２）の高さを超えるものとしておくことが好適となる場合がある。
【００２７】
ところで、本発明は、前記実施形態に限定されるものではなく、実施の形態に応じて適宜変更可能である。
例えば、支持板２に対し、位置決め突起１０のダボピン１２を差し込むための小孔１１を複数設けておくことで、位置決め可能にする容器のサイズを、２種類以上にすることができる。
【００２８】
標準脚３と高脚４とについては、支持板２を介して一軸配置とすることが限定されるものではなく、互いの配置を異ならせてもよい。
支持板２の平面大きさと容器（Ｗ１，Ｗ２）の平面大きさとの関係は、必ずしも略同等とすることが限定されるものではなく、異なる大きさにしてもよい。また支持板２の平面形状と容器（Ｗ１，Ｗ２）の平面形状についても、何ら限定されるものではない。
【符号の説明】
【００２９】
１  容器台
２  支持板
３  標準脚
４  高脚
７  ダボピン
１０  位置決め突起
１１  小孔
１２  ダボピン
Ｗ１  大形容器
Ｗ２  小形容器
【図１】
2015123006.tif 000003
【図２】
2015123006.tif 000004
【図３】
2015123006.tif 000005
【図４】
2015123006.tif 000006
【図５】
2015123006.tif 000007